(57)【要約】【課題】処理対象の画像に応じて適応的に一括の画像処理を行うこと、又、ユーザーの所望の画像編集に対応できること。【解決手段】入力された処理対象画像のシーン種別を判定するシーン検出部１２と、シーン種別ごとに一括の画像処理が定義された一括処理を特定する一括処理情報を格納する一括処理記憶部１５と、前記処理対象画像のシーン種別に対応する一括処理を行う画像編集部１３と、前記一括処理の結果である処理結果画像を出力する出力部１４と、を備える。【選択図】図１
2014085716.tif 000002
【特許請求の範囲】
【請求項１】
入力された処理対象画像のシーン種別を判定するシーン検出部と、
シーン種別ごとに一括の画像処理が定義された一括処理を特定する一括処理情報を格納する一括処理記憶部と、
前記処理対象画像のシーン種別に対応する一括処理を行う画像編集部と、
前記一括処理の結果である処理結果画像を出力する出力部と、
を備えたことを特徴とする画像編集処理装置。
【請求項２】
ユーザーが前記出力された複数の処理結果画像の中から選択した処理結果画像に基づいて、該処理結果画像のシーン種別に関し、前記一括処理記憶部に格納される一括処理の優先度を更新する優先度更新部を備え、
前記出力部は、前記優先度の順に前記処理結果画像を出力する、
ことを特徴とする請求項１に記載の画像編集処理装置。
【請求項３】
前記出力部は、前記処理対象画像と同一画面内に、前記処理結果画像を前記優先度の順に表示させる画像表示データを出力することを特徴とする請求項２に記載の画像編集処理装置。
【請求項４】
入力された処理対象画像のシーン種別を判定するシーン検出ステップと、
シーン種別ごとに一括の画像処理が定義された一括処理を特定する一括処理情報を格納する一括処理記憶部を用いて、前記処理対象画像のシーン種別に対応する一括処理を行う画像編集ステップと、
前記一括処理の結果である処理結果画像を出力する出力ステップと、
をコンピュータに実行させるためのコンピュータプログラム。
【発明の詳細な説明】
【技術分野】
【０００１】
本発明は、画像編集処理装置およびコンピュータプログラムに関する。
【背景技術】
【０００２】
従来、デジタル画像の画像処理技術として例えば特許文献１、２に記載される技術が知られている。特許文献１に記載される画像処理技術では、画像に施す一連の処理を処理単位として複数種類の処理単位を記憶しておき、又、その処理単位を選択して用いるための手順を記述した実行フローを記憶しておき、その実行フローに従って各処理単位を組み合わせて用いるようにしている。
【０００３】
特許文献２に記載される画像処理技術では、複数の画像編集手段のうちの適宜の複数の画像編集手段を順次用いる推奨すべき処理手順を記憶しておき、その処理手順にもとづいて処理対象の画像の処理を実行して得られた編集結果画像を表示し、その表示された編集結果画像から所望の画像を選択するようにしている。又、画像編集手段で用いるパラメータとして、文書中に挿入する画像に必要となる編集処理を施すために、画像の寸法、画像の面積、又は、画像をスキャンして画像と交差した回数とその画像の面積を処理対象となる画像から導出している。
【先行技術文献】
【特許文献】
【０００４】
【特許文献１】特開平０９−２８８５６８号公報
【特許文献２】特開平１０−０２７２５８号公報
【発明の概要】
【発明が解決しようとする課題】
【０００５】
しかし、上述した特許文献１の従来技術では、処理対象の画像によって組み合わせる処理単位が異なる場合に適応的に実行フローを変更することができない。特許文献２の従来技術では、文書編集を目的とした画像編集には適しているが、ユーザーの所望の画像編集には不向きである。
【０００６】
本発明は、このような事情を考慮してなされたもので、処理対象の画像に応じて適応的に一括の画像処理を行うこと、又、ユーザーの所望の画像編集に対応できる、画像編集処理装置およびコンピュータプログラムを提供することを課題とする。
【課題を解決するための手段】
【０００７】
本発明の一態様は、入力された処理対象画像のシーン種別を判定するシーン検出部と、シーン種別ごとに一括の画像処理が定義された一括処理を特定する一括処理情報を格納する一括処理記憶部と、前記処理対象画像のシーン種別に対応する一括処理を行う画像編集部と、前記一括処理の結果である処理結果画像を出力する出力部と、を備えたことを特徴とする画像編集処理装置である。
【０００８】
本発明の一態様においては、ユーザーが前記出力された複数の処理結果画像の中から選択した処理結果画像に基づいて、該処理結果画像のシーン種別に関し、前記一括処理記憶部に格納される一括処理の優先度を更新する優先度更新部を備え、前記出力部は、前記優先度の順に前記処理結果画像を出力する、ことを特徴とする。
【０００９】
本発明の一態様においては、前記出力部は、前記処理対象画像と同一画面内に、前記処理結果画像を前記優先度の順に表示させる画像表示データを出力することを特徴とする。
【００１０】
本発明の一態様は、入力された処理対象画像のシーン種別を判定するシーン検出ステップと、シーン種別ごとに一括の画像処理が定義された一括処理を特定する一括処理情報を格納する一括処理記憶部を用いて、前記処理対象画像のシーン種別に対応する一括処理を行う画像編集ステップと、前記一括処理の結果である処理結果画像を出力する出力ステップと、をコンピュータに実行させるためのコンピュータプログラムである。
【発明の効果】
【００１１】
本発明によれば、処理対象の画像に応じて適応的に一括の画像処理を行うことができる。又、ユーザーの所望の画像編集に対応できる。
【図面の簡単な説明】
【００１２】
【図１】本発明の一実施形態に係る画像編集処理装置１の構成例を示すブロック図である。
【図２】図１に示す一括処理記憶部１５の構成例を示す概念図である。
【図３】本発明の一実施形態に係る画像表示データの構成例を説明するための表示画面図である。
【図４】本発明の一実施形態に係る一括処理の例を説明するための処理結果画像例である。
【図５】本発明の一実施形態に係る一括処理の例を説明するための他の処理結果画像例である。
【発明を実施するための形態】
【００１３】
以下、図面を参照し、本発明の一実施形態について説明する。
図１は、本発明の一実施形態に係る画像編集処理装置１の構成例を示すブロック図である。図１において、画像編集処理装置１は、画像入力部１１とシーン検出部１２と画像編集部１３と出力部１４と一括処理記憶部１５を備える。
【００１４】
画像編集処理装置１は、画像記憶装置２０及び液晶タッチパネル装置３０と接続されている。画像記憶装置２０は画像データを格納している。液晶タッチパネル装置３０は、入力装置と液晶表示装置が一体となっており、画像データの表示と、ユーザーのタッチ操作によるデータ入力とを行うことができる。
【００１５】
画像編集処理装置１と、画像記憶装置２０又は液晶タッチパネル装置３０とは、一つの装置として構成されてもよい。例えば、携帯可能な情報端末装置として、携帯電話機、「スマートフォン」と呼ばれる携帯型情報端末装置、タブレットコンピュータ（tablet PC）、デジタルカメラなどとして構成されてもよい。又は、画像編集処理装置１と、画像記憶装置２０又は液晶タッチパネル装置３０とは、独立した装置として構成され、各装置は通信により接続されるように構成してもよい。
【００１６】
なお、本実施形態では、液晶タッチパネル装置を用いるが、入力装置と表示装置がそれぞれ独立の装置であってもよい。
【００１７】
図１において、画像入力部１１は、画像記憶装置２０から処理対象の画像データを入力する。
【００１８】
シーン検出部１２は、画像入力部１１により入力された入力画像データに対して、シーン検出処理を行う。このシーン検出処理では、入力画像データの画像（処理対象画像）に対して、シーン種別を判定する。シーン種別は、予め複数が定義される。シーン検出部１２は、処理対象画像がどのシーン種別に属するのかを判定する。
【００１９】
画像編集部１３は、処理対象画像に対して、処理対象画像のシーン種別に応じた、一括の画像処理（一括処理）を行う。一括処理は、一つ又は複数の画像処理から構成される。一括処理を特定する情報は一括処理記憶部１５に格納されている。
【００２０】
図２は、一括処理記憶部１５の構成例を示す概念図である。一括処理記憶部１５は、シーン種別ごとに、一括処理情報を格納する。一括処理情報は、一括処理を構成する画像処理を特定する。一シーン種別に対して複数の一括処理が定義される場合には、それら複数の一括処理に対して優先度が付与される。
【００２１】
画像編集部１３は、一括処理記憶部１５から、処理対象画像のシーン種別に対応する一括処理情報を取得する。そして、画像編集部１３は、処理対象画像に対し、一括処理を行う。このとき、処理対象画像のシーン種別に対応する一括処理が複数あるときは、処理対象画像に対して各一括処理を別個に行い、一括処理数分の一括処理結果の画像を作成する。
【００２２】
なお、一括処理記憶部１５は、ユーザーごとに設けてもよい。この場合、画像編集部１３は、ユーザーの識別結果に応じて、使用する一括処理記憶部１５を選択する。
【００２３】
出力部１４は、入力画像データ及び画像編集部１３による画像処理結果の画像データを用いて、画像表示データを出力する。画像表示データは、液晶タッチパネル装置３０に入力される。液晶タッチパネル装置３０は、入力した画像表示データを表示画面上に表示する。
【００２４】
図３は、本実施形態に係る画像表示データの構成例を説明するための表示画面図である。図３において、表示画面１００は、処理対象画像表示画面１１０とサムネイル表示画面１２０を有する。処理対象画像表示画面１１０には処理対象画像が表示される。サムネイル表示画面１２０には、画像編集部１３による画像処理結果の画像（処理結果画像）が縮小されて表示される。
【００２５】
図３中のサムネイル表示画面１２０には、複数の処理結果画像２０１、２０２、２０３、２０４が縮小されて表示されている。これら処理結果画像２０１、２０２、２０３、２０４は、処理対象画像に対して、処理対象画像のシーン種別に対応する一括処理のうち、優先度の高い一括処理が行われた処理結果画像から順に表示される。
【００２６】
例えば、図２の一括処理記憶部１５において、処理対象画像のシーン種別が「Ａ」である場合、処理結果画像２０１は最優先の一括処理（画像処理Ｖａ）が行われたものであり、処理結果画像２０２は優先度２位の一括処理（画像処理Ｖｂ，Ｖｆ）が行われたものであり、処理結果画像２０３は優先度３位の一括処理（画像処理Ｖｅ）が行われたものであり、処理結果画像２０４は優先度最下位の一括処理（画像処理Ｖｇ）が行われたものである。このように、処理対象画像に対して処理対象画像のシーン種別に対応する一括処理が行われた処理結果画像が、サムネイル表示画面１２０に縮小して表示される。
【００２７】
ユーザーは、サムネイル表示画面１２０に縮小して表示された処理結果画像２０１、２０２、２０３、２０４の中からいずれかをタッチすることにより、所望の処理結果画像を選択することができる。ここで、図３のように、処理対象画像と処理結果画像を同一画面上に表示することによって、ユーザーは画像処理前後の画像を比較しながら、所望の処理結果画像を選択することができる。
【００２８】
ユーザーが選択した結果の処理結果画像の情報は、液晶タッチパネル装置３０から出力されて、画像編集部１３に入力される。これにより、画像編集部１３は、液晶タッチパネル装置３０から入力された処理結果画像の情報に基づいて、ユーザーが選択した処理結果画像を特定し、特定した処理結果画像を最終的な処理結果とする。出力部１４は、その最終的な処理結果の画像データを出力する。この最終的な処理結果の画像データは、表示されたり、又は、記録されたりする。
【００２９】
また、画像編集部１３は優先度更新部としての機能を有する。画像編集部１３は、液晶タッチパネル装置３０から入力された処理結果画像の情報に基づいて、ユーザーが選択した処理結果画像のシーン種別および該処理結果画像に行われた一括処理を特定する。そして、画像編集部１３は、その特定した処理結果画像のシーン種別に関し、該処理結果画像に行われた一括処理に基づいて、一括処理記憶部１５に格納されている一括処理の優先度を更新する処理を行う。例えば、当該シーン種別における一括処理の使用頻度を算出し、この算出結果の使用頻度が高い順に、一括処理の優先度を高くする。これにより、シーン種別ごとに、ユーザーが好む一括処理の順に処理結果画像をサムネイル表示画面１２０に表示させることができる。これにより、ユーザーは、好みの一括処理の順に処理結果画像がサムネイル表示画面１２０に表示されているので、好みの処理結果画像を探し易くなる。
【００３０】
図４は、あるシーン種別に関する一括処理の例を説明するための処理結果画像例である。図４において、シーン種別「風景」であり、処理結果画像２０１は「輝度を上げる」という画像処理が行われたものであり、処理結果画像２０２は「日付を記入」及び「モノクロ画像にする」という２つの画像処理が行われたものであり、処理結果画像２０３は「フレームを装飾」という画像処理が行われたものであり、処理結果画像２０４は「吹き出しのスタンプに文字を記入する」という画像処理が行われたものである。
【００３１】
図５は、あるシーン種別に関する一括処理の例を説明するための他の処理結果画像例である。図５において、シーン種別「風景と人物、逆光での撮影」であり、処理結果画像３０１は「明度を上げる」という画像処理が行われたものであり、処理結果画像３０２は「明度を上げる」及び「彩度を上げる」という画像処理が行われたものである。彩度を上げることによって、人物の肌色をはっきりさせる効果が期待できる。
【００３２】
また、シーン種別「料理画像」である場合には、「輝度を上げる」、「彩度を上げる」という一括処理を行うことにより、料理画像に合わせた画質の調整を行えるようにする。このように、シーン種別に応じた一括処理を行うことによって、シーンに合わせた画質の調整を行えるようにする。
【００３３】
なお、サムネイル表示画面１２０に縮小して表示された処理結果画像（縮小処理結果画像）が小さくて見づらいことを考慮し、ユーザーが指定した縮小処理結果画像を拡大して表示する機能を設けてもよい。
【００３４】
上述したように本実施形態によれば、処理対象画像のシーン種別に応じた一括処理を行うことにより、処理対象画像に応じて適応的に一括処理を行うことができる。また、ユーザーが選択した処理結果画像に行われた一括処理に基づいて、該処理結果画像のシーン種別に関する一括処理の優先度を更新することにより、ユーザーに対して好みの一括処理の順に処理結果画像を提示できる。これにより、ユーザーの所望の画像編集に対応することに寄与できる。
【００３５】
また、ユーザーごとに一括処理記憶部１５を設けることにより、各ユーザーに応じた一括処理を構成することができる。
【００３６】
以上、本発明の実施形態について図面を参照して詳述してきたが、具体的な構成はこの実施形態に限られるものではなく、本発明の要旨を逸脱しない範囲の設計変更等も含まれる。
例えば、デジタル画像を撮影可能なデバイス（例えば、スマートフォンやデジタルカメラなど）において、撮影完了した画像の表示画面での確認時や、ファイル管理アプリケーションによる表示画面での画像編集時などに本発明を適用することが挙げられる。これにより、図３のように表示画面上に、撮影画像（処理対象画像）と処理結果画像とを表示することにより、ユーザーは処理結果画像の中から所望の処理結果画像を選択する操作（１操作）だけで画像編集を完了することができる。これは、ユーザーにとっては、画像編集にかかる手間が大幅に軽減し、利便性が格段に向上する。特に似たようなシーン（同一種別のシーン）の画像に対しては、ユーザーが同じ画像処理を使用する可能性が高いと考えられるので、本発明は非常に有用となる。
【００３７】
また、上述した画像編集処理装置を実現するためのプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
【００３８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００３９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４０】
１  画像編集処理装置、１１  画像入力部、１２  シーン検出部、１３  画像編集部（優先度更新部）、１４  出力部、１５  一括処理記憶部、２０  画像記憶装置、３０  液晶タッチパネル装置
【図１】
2014085716.tif 000003
【図２】
2014085716.tif 000004
【図３】
2014085716.tif 000005
【図４】
2014085716.tif 000006
【図５】
2014085716.tif 000007